【手続補正書】
【提出日】平成23年11月24日(2011.11.24)
【手続補正１】
【補正対象書類名】明細書
【補正対象項目名】００１７
【補正方法】変更
【補正の内容】
【００１７】
［２］  ［１］に記載の微細セルロース繊維分散液から製造されたセルロース繊維平面構造体。
［３］  厚み５０μｍでのヘーズが５０％以下である、［２］に記載のセルロース繊維平面構造体。
【手続補正２】
【補正対象書類名】明細書
【補正対象項目名】００１８
【補正方法】変更
【補正の内容】
【００１８】
［４］  空隙率が１０体積％以上９０体積％以下であり、厚みが１００ｎｍ以上１ｃｍ以下であり、屈折率が１．５２のオイルを含浸させ、顕微鏡で観察したときに、繊維径４００ｎｍ以上の繊維の体積分率が５％以下である、［２］に記載のセルロース繊維平面構造体。
【手続補正３】
【補正対象書類名】明細書
【補正対象項目名】００１９
【補正方法】変更
【補正の内容】
【００１９】
［５］  ［１］に記載の微細セルロース繊維分散液から製造されたセルロース繊維粒子であって、粒径が１μｍ以上１ｍｍ以下であり、屈折率が１．５２のオイルを含浸させ、顕微鏡で観察したときに、繊維径４００ｎｍ以上の繊維の体積分率が５％以下であることを特徴とするセルロース繊維粒子。
【手続補正４】
【補正対象書類名】明細書
【補正対象項目名】００２０
【補正方法】変更
【補正の内容】
【００２０】
［６］  ［２］ないし［４］のいずれかに記載のセルロース繊維平面構造体、もしくは［５］に記載のセルロース繊維粒子と、セルロース以外の高分子とを複合化させてなる高分子セルロース複合体。
【手続補正５】
【補正対象書類名】明細書
【補正対象項目名】００２１
【補正方法】変更
【補正の内容】
【００２１】
［７］  ［２］ないし［４］のいずれかに記載のセルロース繊維平面構造体の層と、セルロース以外の高分子の平面構造体層２とを積層してなる高分子セルロース複合体。
【手続補正６】
【補正対象書類名】明細書
【補正対象項目名】００２２
【補正方法】変更
【補正の内容】
【００２２】
［８］  ［２］ないし［４］のいずれかに記載のセルロース繊維平面構造体と、該セルロース繊維平面構造体内に含有されたセルロース以外の高分子とを含有する高分子セルロース複合体。
【手続補正７】
【補正対象書類名】明細書
【補正対象項目名】００２３
【補正方法】変更
【補正の内容】
【００２３】
［９］  無機膜が積層された［６］ないし［８］のいずれかに記載の高分子セルロース複合体。
【手続補正８】
【補正対象書類名】明細書
【補正対象項目名】００２４
【補正方法】変更
【補正の内容】
【００２４】
［１０］  ［６］ないし［９］のいずれかに記載の高分子セルロース複合体を備えてなる構造材。
【手続補正９】
【補正対象書類名】明細書
【補正対象項目名】００２５
【補正方法】変更
【補正の内容】
【００２５】
［１１］  ［６］ないし［９］のいずれかに記載の高分子セルロース複合体を備えてなる基板。
【手続補正１０】
【補正対象書類名】明細書
【補正対象項目名】００２６
【補正方法】変更
【補正の内容】
【００２６】
［１２］  ［６］ないし［９］のいずれかに記載の高分子セルロース複合体を備える窓材。
【手続補正１１】
【補正対象書類名】明細書
【補正対象項目名】００２７
【補正方法】変更
【補正の内容】
【００２７】
［１３］  ［６］ないし［９］のいずれかに記載の高分子セルロース複合体を備える車体。
【手続補正１２】
【補正対象書類名】明細書
【補正対象項目名】００２８
【補正方法】変更
【補正の内容】
【００２８】
［１４］  最小長の平均が１０μｍ以上で、最大長の平均が１０ｃｍ以下の植物由来原料から得られたセルロース繊維の分散液に、周波数１５ｋＨｚ以上１ＭＨｚ以下で、実効出力密度１Ｗ／ｃｍ２以上の超音波を照射することにより、平均繊維径１００ｎｍ以下の微細セルロース繊維の分散液を得ることを特徴とするセルロース繊維の解繊方法。
【手続補正１３】
【補正対象書類名】明細書
【補正対象項目名】００２９
【補正方法】変更
【補正の内容】
【００２９】
［１５］  前記超音波照射に先立ち、解繊処理工程を経ることを特徴とする［１４］に記載のセルロース繊維の解繊方法。
【手続補正１４】
【補正対象書類名】明細書
【補正対象項目名】００３０
【補正方法】変更
【補正の内容】
【００３０】
［１６］  ［１５］において、該解繊処理工程が、前記原料の分散液を３０ＭＰａ以上の高圧雰囲気下から噴出させて減圧する工程であることを特徴とするセルロース繊維の解繊方法。
【手続補正１５】
【補正対象書類名】明細書
【補正対象項目名】００３１
【補正方法】変更
【補正の内容】
【００３１】
［１７］  ［１４］ないし［１６］のいずれかにおいて、前記原料の化学修飾工程を含むことを特徴とするセルロース繊維の解繊方法。
【手続補正１６】
【補正対象書類名】特許請求の範囲
【補正対象項目名】全文
【補正方法】変更
【補正の内容】
【特許請求の範囲】
【請求項１】
セルロースＩ型結晶を有し、下記一般式（１）で表される繰り返し単位を有するセルロース及び／又はその誘導体よりなる繊維の分散液であって、
２５℃において測定されるずり速度１０ｓ−１における粘度が１００ｍＰａ・ｓ以下となるように調整した該分散液に対して、遠心分離機にて３８９００Ｇの加速度を３０分間かけたとき、全体積における上澄み１０％に含まれる前記セルロース及び／又はその誘導体の濃度が遠心分離機にかける前の該分散液の前記セルロース及び／又はその誘導体の濃度の５０％以上であることを特徴とする微細セルロース繊維分散液。
【化１】
2009299043.tif 000001
（式中、Ｘ１、Ｘ２、Ｘ３は、それぞれ独立して、水素原子、炭素数１〜２０のアルキルカルボニル基、アリル基で置換されていてもよい炭素数２〜６のアルケニルカルボニル基、アルキニルカルボニル基、アリルカルボニル基、ニコチノイル基、イソニコチノイル基、又はフロイル基を表す。）
【請求項２】
請求項１に記載の微細セルロース繊維分散液から製造されたセルロース繊維平面構造体。
【請求項３】
厚み５０μｍでのヘーズが５０％以下である、請求項２に記載のセルロース繊維平面構造体。
【請求項４】
空隙率が１０体積％以上９０体積％以下であり、厚みが１００ｎｍ以上１ｃｍ以下であり、
屈折率が１．５２のオイルを含浸させ、顕微鏡で観察したときに、繊維径４００ｎｍ以上の繊維の体積分率が５％以下である、請求項２に記載のセルロース繊維平面構造体。
【請求項５】
請求項１に記載の微細セルロース繊維分散液から製造されたセルロース繊維粒子であって、粒径が１μｍ以上１ｍｍ以下であり、
屈折率が１．５２のオイルを含浸させ、顕微鏡で観察したときに、繊維径４００ｎｍ以上の繊維の体積分率が５％以下であることを特徴とするセルロース繊維粒子。
【請求項６】
請求項２ないし４のいずれか１項に記載のセルロース繊維平面構造体、もしくは請求項５に記載のセルロース繊維粒子と、セルロース以外の高分子とを複合化させてなる高分子セルロース複合体。
【請求項７】
請求項２ないし４のいずれか１項に記載のセルロース繊維平面構造体の層と、セルロース以外の高分子の平面構造体層２とを積層してなる高分子セルロース複合体。
【請求項８】
請求項２ないし４のいずれか１項に記載のセルロース繊維平面構造体と、該セルロース繊維平面構造体内に含有されたセルロース以外の高分子とを含有する高分子セルロース複合体。
【請求項９】
無機膜が積層された請求項６ないし８のいずれかに記載の高分子セルロース複合体。
【請求項１０】
請求項６ないし９のいずれかに記載の高分子セルロース複合体を備えてなる構造材。
【請求項１１】
請求項６ないし９のいずれかに記載の高分子セルロース複合体を備えてなる基板。
【請求項１２】
請求項６ないし９のいずれかに記載の高分子セルロース複合体を備える窓材。
【請求項１３】
請求項６ないし９のいずれかに記載の高分子セルロース複合体を備える車体。
【請求項１４】
最小長の平均が１０μｍ以上で、最大長の平均が１０ｃｍ以下の植物由来原料から得られたセルロース繊維の分散液に、周波数１５ｋＨｚ以上１ＭＨｚ以下で、実効出力密度１Ｗ／ｃｍ２以上の超音波を照射することにより、平均繊維径１００ｎｍ以下の微細セルロース繊維の分散液を得ることを特徴とするセルロース繊維の解繊方法。
【請求項１５】
前記超音波照射に先立ち、解繊処理工程を経ることを特徴とする請求項１４に記載のセルロース繊維の解繊方法。
【請求項１６】
請求項１５において、該解繊処理工程が、前記原料の分散液を３０ＭＰａ以上の高圧雰囲気下から噴出させて減圧する工程であることを特徴とするセルロース繊維の解繊方法。
【請求項１７】
請求項１４ないし１６のいずれかにおいて、前記原料の化学修飾工程を含むことを特徴とするセルロース繊維の解繊方法。